(57)【要約】【課題】移動者が消臭のために移動を停止することなく消臭を行う消臭システムを提供する。【解決手段】複数の空気流生成ユニット（１、１００）を備えた消臭システム（Ａ）であって、空気流生成ユニット（１、１００）は、利用者（Ｐ）が通過する通路（Ｉ）に沿って少なくとも通路の左右に１台ずつ配置され、利用者が通過する際に利用者に向けて空気流（Ａｃ，Ａｓ）を吹き出すとともに、少なくとも１台は臭いを中和する中和剤（８）を含んだ空気流（Ａｃ）を吹き出す。【選択図】図６
2020018537.tif 000002
【特許請求の範囲】
【請求項１】
複数の空気流生成ユニット（１、１００）を備えた消臭システム（Ａ、Ｂ）であって、
前記複数の空気流生成ユニット（１）は、利用者が通過する通路（Ｉ）に沿って配置され、前記利用者（Ｐ）が通過する際にその利用者に向けて空気流を吹き出すとともに、
前記空気流生成ユニットのうちの少なくともひとつ（１００）は、利用者に付着した臭いを消臭する消臭剤（８）を含んだ空気流を吹き出す消臭システム（Ａ、Ｂ）。
【請求項２】
前記空気流生成ユニットは、第１の空気流生成ユニット（１）と、第２の空気流生成ユニット（１）と、第３の空気流生成ユニット（１００）を備え、
前記第１、第２および第３の空気流生成ユニットは、前記通路（Ｉ）に沿って左右互い違いに順番に設けられ、
前記第１の空気流生成ユニット（１）と前記第２の空気流生成ユニット（１）は、それぞれ帯状の空気流を吹き出す第１の吹出口（１３ａ、１３ｂ、１４ａ、１４ｂ）と前記第１吹出口の空気流より風速が強いビーム状の空気流を吹き出す第２の吹出口（２３、２４）を備え、
前記第３の空気流生成ユニット（１００）は、帯状の空気流を吹き出す吹出口（１１３ａ、１１３ｂ、１１４ａ、１１４ｂ）を備えるとともに中和剤（８）を含んだ空気流を吹き出す請求項１記載の消臭システム（Ａ、Ｂ）。
【請求項３】
喫煙室（Ｒｃ）と禁煙室（Ｒｇ）とこれらを接続する通路（Ｉ）とを備えた建物（Ｒ）であって、前記請求項１または２に記載の消臭システム（Ａ、Ｂ）を前記通路に備えた建物（Ｒ）。
【請求項４】
室内を歩く歩行者（Ｐ）にまとわりつく煙草の臭いを消臭する消臭方法であって、
前記歩行者（Ｐ）に対し、少なくともその身長方向の全身をカバーするように帯状に伸びて形成された空気流（Ａｃ）を、前記歩行者の左右両側から互い違いに順番に、吹きつけるとともに、
最後に吹き付ける空気流は、煙草の臭いを低減する中和剤を含むことを特徴とする消臭方法。
【発明の詳細な説明】
【技術分野】
【０００１】
本発明は、喫煙エリアから禁煙エリアに人が移動するに際して、煙草の臭いを伴う移動者の消臭に関する。
【背景技術】
【０００２】
近年は受動喫煙の問題を解決するため、職場や公共の空間では禁煙エリアの中に喫煙エリアを設けて分煙することが増加している。これに伴い、喫煙エリアから禁煙エリアに人が移動する際、喫煙エリアで生じた煙草の煙に起因する臭いが人とともに禁煙エリアに持ち込まれないように対策することが求められことも多くなってきた。
【０００３】
従来、移動者に伴う臭いを消臭するために、移動者にゲートをくぐらせてその通過時にゲートの柱の部分から空気流を吹き出すものが提案されていた（特許文献１）。
【０００４】
しかし、このようなゲート形状の消臭構造は、ゲートを通過する者に消臭剤を含む空気を両側から同時に吹き付けるものであるため、装置の規模が大きくなり、空港施設やオフィスビルといった既設の建物内に設置する場合は、その設置スペースも大きくする必要があった。それにとどまらず、装置規模が大きいため既設の建物内部の空間が持つデザインと調和がとりづらい場合があった。
【０００５】
また、ゲート形状であることを維持しながら、できるだけコンパクトにしようとすると、通過者に空気を吹き付ける時間が短くなり、消臭効果が限定されることが懸念され、この場合に、ゲートで立ち止まるなど時間をかけて消臭効果を得ることは、通過者の流れを妨げるため、通過者の多い公共空間では特に困難であった。
さらに、このようなゲート構造では、空気を同時に左右方向から吹き付けるため、反対方向に吹かれた空気流が互いに干渉して、十分な吹付効果が得られにくい場合があった。
【０００６】
このため、既設の建物内部の空間、より詳しくは、喫煙室の出口や、喫煙室と禁煙室をつなぐ通路などにコンパクトに配置されて、移動者が消臭のために立ち止まることなく歩いて通過する場合でも消臭が可能になることが要請されるようになってきた。
【先行技術文献】
【特許文献】
【０００７】
【特許文献１】特開２００３−１３５５８０号公報
【発明の概要】
【発明が解決しようとする課題】
【０００８】
本発明は、このような従来事情に鑑みてなされたもので、その目的は、移動する歩行者に対し、その体に纏わりついた煙草の臭いを低減させる消臭システムを提供することである。
【課題を解決するための手段】
【０００９】
本発明は、利用者が喫煙エリアから禁煙エリアに移動した際に感じられる煙草の臭いは、
１）利用者に纏わりついた空気（特に、移動の際に利用者の背面に纏わりつく空気）、
２）利用者の衣服等に付着した煙草の臭い、
が主なものであるという知見を得て、１）については、空気流による滞留空気の遮断により、２）については消臭剤を含んだ空気の吹付により、脱臭を図るものである。
【００１０】
（請求項１）
本発明は、先述の課題を解決するために提案されたものであって、下記の構成からなる。すなわち、
複数の空気流生成ユニットを備えた消臭システムであって、
前記複数の空気流生成ユニットは、利用者が通過する通路に沿って配置され、前記利用者が通過する際に利用者に向けて空気流を吹き出すとともに、
前記空気流生成ユニットのうちの少なくともひとつは、利用者に付着した臭いを中和する中和剤を含んだ空気流を吹き出すことを特徴とする。
【００１１】
これにより、喫煙エリアから禁煙エリアに移動してきた利用者の体にまとわりつく煙草の煙を利用者の身体から分離するとともに身体に付着した煙草の臭いを低減させることができる。
【００１２】
（請求項２）
上記の場合、
前記空気流生成ユニットは、第１の空気流生成ユニットと、第２の空気流生成ユニットと、第３の空気流生成ユニットを備え、
前記第１、第２および第３の空気流生成ユニットは、前記通路に沿って左右互い違いに順番に設けられ、
前記第１の空気流生成ユニットと前記第２の空気流生成ユニットは、それぞれ帯状の空気流を吹き出す第１の吹出口と前記第１吹出口の空気流より風速が強いビーム状の空気流を吹き出す第２の吹出口を備え、
前記第３の空気流生成ユニットは、帯状の空気流を吹き出す吹出口を備えるとともに中和剤を含んだ空気流を吹き出すことが望ましい。
【００１３】
これにより、第１と第２の空気流生成ユニットで利用者の体に纏わりついたたばこの煙を左右から吹き飛ばして体から分離するとともに、第３の空気流生成ユニットで利用者の体についた煙草の臭いを中和して低減させることができる。また、ビーム状の絞った空気流により利用者に付着した煙草の臭いを局所的に吹き飛ばすことができる。
【００１４】
（請求項３）
また、
喫煙室と禁煙室とこれらを接続する通路を備えた建物であって、前記消臭システムを前記通路に備えた建物であることが望ましい。
【００１５】
これにより、喫煙室から禁煙室に続く通路を歩く利用者の体に纏わりついた煙草の煙を吹き飛ばして分離するとともに体についた煙草の臭いを中和して低減できる。
【００１６】
（請求項４）
本発明は、
室内を歩く歩行者にまとわりつく煙草の臭いを消臭する消臭方法であって、
前記歩行者に対し、少なくともその身長方向の全身をカバーするように帯状に伸びて形成された空気流を、前記歩行者の左右両側から互い違いに順番に、少なくとも３か所から歩行者に向けて吹きつけるとともに、
最後に吹き付けた空気流は、煙草の臭いを低減する中和剤を含むことを特徴とする。
【００１７】
これにより、室内を歩く歩行者にまとわりつく煙草の臭いを消臭できる。このため、喫煙エリアから禁煙エリアに持ち込まれる煙草の臭いを抑制することができ、禁煙エリアと喫煙エリアの分離が効果的にできる。
【発明の効果】
【００１８】
本発明は、歩行者に付随するたばこの臭い、特に、喫煙エリアから禁煙エリアに移動する歩行者の煙草の臭いを効果的に抑制できる。
【００１９】
以下に、図面を参照して本発明を実施するための形態について説明する。
【実施例１】
【００２０】
（消臭システム）
図６に、本例の消臭システムＡを示す。
この消臭システムＡは、通路Ｉを移動する本システムの利用者Ｐに付着したたばこの臭いを消臭するための複数の空気流生成ユニット１、１、１００を備えており、本例では、第１〜第３の３つの空気流生成ユニットから構成されている。
【００２１】
図６（ａ）は、本システムＡを通路Ｉに沿って設置した様子の模式的な平面図を示している。利用者Ｐは、図６（ａ）の紙面左手から右手に歩いて移動している。利用者Ｐの歩く通路Ｉに沿って、その進行方向左側に第１の空気流生成ユニット１が設けられ、次いで右側に第２の空気流生成ユニット１が設けられ、そして、最後に第３の空気流生成ユニット１００が設けられている。各空気流生成ユニット１，１，１００は、通路Ｉの壁Ｗに接して自立しており、正面側の吸気口３ａ，３ｂ，４ａ，４ｂから雰囲気空気Ａｉを吸気し、利用者Ｐが通路Ｉを通過していく際に、空気流Ａｃ，Ａｓを利用者Ｐに向けて吹き出す。第１と第２の空気流生成ユニット１は、それぞれ帯状の空気流Ａｃとビーム状（スポット状）の空気流Ａｓを生成する。第３の空気流生成ユニット１００は、帯状の空気流Ａｃのみ生成するが、ビーム状の空気流Ａｓをさらに備えるようにしても差し支えない。
【００２２】
図６（ｂ）は、同じく本システムＡの設置した様子を模式的に水平方向から見たものである。各空気流生成ユニット１、１、１００の鉛直方向（利用者の身長方向）の高さは利用者の身長より高く、おおよそ２ｍである。各空気流生成ユニット１、１、１００の帯状空気流の吹出口３ａ，３ｂ，４ａ，４ｂは、高さ方向に４分割されているが、全体としては、帯状空気流Ａｃは、利用者Ｐの身長を上回る範囲を、利用者Ｐの身長方向すなわち鉛直方向にカバーしている。このために、利用者Ｐの背後に纏わりつく煙草の煙の混ざった空気Ｓに帯状の空気流Ａｃが当たって、利用者Ｐと煙草の煙の混ざった空気Ｓは完全な分離が可能になる。各ユニット１，１，１００は、さらに天井に至るまで、そのカバー範囲を広げることもできる。
【００２３】
（空気流生成ユニット）
図１に、空気流生成ユニット１の概略斜視図を示す。空気流生成ユニット１は、箱型形状の筐体５を備えている。この筐体５は、空気流を作るための送風ファン６，７と送風ファン６が押し込んだ空気だまりであるエアチャンバー５、制御装置（不図示）がその内部に備えられている。
【００２４】
空気流生成ユニット１の筐体５の正面側にある開閉扉３，４に空気の吸込口３ａ、３ｂ、４ａ、４ｂが設けられており、フィルターユニット３ａ１、３ｂ１、４ａ１、４ｂ１を介して空気は筐体５の内部に吸い込まれ、帯状空気流Ａｃは、整流パネル３ａ１、３ｂ１、４ａ１、４ｂ１を介して整流されて吹出される。
空気吸込口３ａ、３ｂ、４ａ、４ｂには、空気が通過できるようパンチングメタルが嵌められ、筐体５の内側には、吸入する空気の塵埃を捉えて浄化するためのフィルターユニット８が着脱自在に嵌められている。
ファン６，７が起動されると、筐体５はほぼ密閉されているため負圧となり、同図中の矢印で示すように筐体５の外部の雰囲気空気を内部に吸い込む。吸い込まれた空気は送風ファン６によりダクトを介してチャンバー９に圧送され、帯状空気流Ａｃが帯状空気流の吹出口１３ａ、１３ｂ、１４ａ、１４ｂから正面パネルとほぼ直角方向に吹き出される。また、送風ファン７が、筐体５の内部に吸い込まれた空気を空気吹出し口２３、２４から利用者に向けてビーム状空気流として吹き出す。
【００２５】
図２を用いて空気流生成ユニット１とその空気流生成ユニット１が作る空気流Ａｃ，Ａｓについて説明する。図２（ａ）は、空気流生成ユニット１と利用者Ｐをその頭上か見た説明図、図２（ｂ）は同じく水平方向から見た説明図である。
喫煙室Ｒｃに滞在した本消臭システムＡの利用者Ｐは、その衣服に煙草の塵埃に含まれる各種の臭いの原因物質が付着しているのみならず、喫煙室Ｒｃ内の塵埃を含む空気Ｓを引きずりながら移動する。このため、喫煙室Ｒｃを出たのちもその空気Ｓが利用者Ｐの背後である後頭部や腰部付近に纏わりついている（同図（ａ）、（ｂ））。したがって、これを遮断する必要がある。
空気流生成ユニット１は、図２（ｂ）に示すように、利用者Ｐの身長を上回る範囲の帯状空気流Ａｃを吹出口１３ａ、１３ｂ、１４ａ，１４ｂから吹き出し、利用者Ｐに向けて吹き付ける。この際に、利用者Ｐが不快に感じるような流速よりも低く、また、塵埃を含む空気Ｓを遮断するのに必要な流速とすることが望ましい。
また、さらにビーム状空気流Ａｓを空気吹出口２３，２４から吹き出すこともできる。ビーム状空気流Ａｓは、帯状空気流Ａｃよりも速い流速を有する。ビーム状の空気流Ａｓは、主に利用者の胸から腹、腿付近を狙って利用者Ｐに不快でない範囲の流速で吹き出すことにより、さらに塵埃を含む空気Ｓの遮断効果を高めることができる。
なお、図２（ｂ）で示す空気流生成ユニット１は、図１のものと左右勝手違いであるが、これは、上下を逆さまに設置したものである。筐体５の内部の部材は、上下逆さまになっても差し支えないように、通常の固定方法で実現できる。これにより、後述するように、筐体５内部のチャンバー９の位置が筐体５の幅方向の端部付近であることから、空気流生成ユニット１の設置個所の状況によっては、設置位置の自由度が向上する。
【００２６】
図３及び図４は、筐体５の内部構造とその空気の流れを説明するものである。帯状空気流Ａｃを生成するための送風ファン６、チャンバー９及びその吹出口１３ａ、１３ｂ、１４ａ，１４ｂの配置、並びに、ビーム状空気流Ａｓを生成するための送風ファン７、その吹出口２３，２４の配置について説明する。
図３（ｃ）は、筐体５の正面パネルを取り去った状態の説明図である。想像線である２点鎖線は、メンテナンス用の開閉扉３，４の位置を表している。図３（ｂ）はその平面図、図３（ａ）は図３（ｂ）で送風ファン６を取り去った説明図である。
図３（ｃ）に示すように、筐体５の内部には、チャンバー９が設けられている。チャンバー９は、筐体５の紙面向かって右側の端部にその上面から下面までにわたってその幅方向に薄い直方体形状を有して設けられている。その内部は中空で、気密である。同図に示すとおり、２つの送風ファン６、７の出側がチャンバー９に接続されている。チャンバー９は、上下に細長いスリット状の吹出口１３ａ、１３ｂ、１４ａ，１４ｂを有している。
【００２７】
帯状の空気流Ａｃに関しての空気の吸込み、吹き出しは、図３の矢印に記載のとおりである。送風ファン６の中央部から吸い込まれた筐体５内の空気は、送風ファン６の出側から、チャンバー９内に圧送され、空気溜めであるチャンバー９内で圧を整えられたのちに吹出口１３ａ，１３ｂ，１４ａ、１４ｂから吹出口に設けられたハニカム形状の通過孔を有する整流板３ａ１，３ｂ１，４ａ１，４ｂ１を経由して一様な方向の流れに整流されて吹出される。その速度は、望ましくは、風速３の範囲である。
一方、ビーム状の空気流Ａｓは送風ファン７により圧送されるが、整流されずにそのまま吹出口２３，２４の開口から吹出される。その速度は、風速５の範囲（ただし、常に、Ａｃ＞Ａｓ）である。
なお、吹出口２３、２４に回転機構及び上下機構を有する吹き出し方向を制御するフラップ（方向制御板）３ｃ（図３）を設けて、吹出し方向を上下にプラスマイナス４５度・左右にプラスマイナス１５度程度に調節することが望ましい。
【００２８】
図４に、同様に筐体５の内部構造を空気流生成ユニット１の筐体の側面壁を取り去って側面から見た説明図を示す。
同図に示すように、送風ファン６によりチャンバー９内に圧送された空気は、チャンバー９内で圧を整えられたのちに、吹出口１３ａ，１３ｇｂ，１４ａ、１４ｂから吹出口に設けられたハニカム形状の整流板３ａ１、３ｂ１、４ａ１，４ｂ１を経由して一様な流れとされて同図内の矢印で示されるように帯状空気流Ａｃとなって吹出される。
一方、ビーム状の空気流Ａｓは送風ファン７を介して、整流されずにそのまま直接吹出口から吹出される。なお、吹出口２３、２４に回転機構及び上下機構を有する方向制御板３ｃを設けてもよい点は同様である。
【００２９】
（空気流生成ユニットの変形例）
図５に示す空気流生成ユニット１００は、空気流生成ユニット１の変形例である。
図５（ｂ）は、空気流生成ユニット１００の正面からみた説明図である。説明の便宜のため、正面パネルの下半分を取り去って示している。また、想像線は、メンテナンス用の開閉扉４の位置を示している。
基本的には、空気流生成ユニット１００は、空気流生成ユニット１と同様であるが、異なる点は、ビーム状空気流Ａｃを生成する送風ファンとその吹出し口が設けられていないことである。その代りに、チャンバー９の中央部付近に下側の送風ファン６の上部側に消臭剤ユニット８が備えられて、消臭剤がチャンバー９内に暴露されている。
この消臭剤は、使用状態で揮発または昇華する芳香剤が含有されているもの、または芳香剤そのものを用いることができる。たとえば、植物油から抽出した精油などであり、杉の香りなどがするものが好適に用いられる。
チャンバー９内で消臭剤が送風ファン６で圧送された空気と混ざり、帯状空気流吹出し口１１３ａ、１１３ｂ、１１４ａ、１１４ｂから吹出される空気流Ａｃに消臭剤が混じるため利用者に付着した臭いが中和されて消臭される。
【００３０】
また、この空気流生成ユニット１００の帯状空気流Ａｃの吹出口は１１３ａ、１１３ｂ、１１４ａ、１１４ｂは、吹出し方向を図５（ａ）、図７に示すように５度〜１５度程度ななめに吹くように、整流パネル３ａ１、３ｂ１、４ａ１、４ｂ１の方向を傾けてもよい。
その理由は、この空気流生成ユニット１００は複数ユニットを配置する場合の最終位置に置かれることが多く、このような場合、通路Ｉの内側にバイアスをもって吹き出すと、通路Ｉの出側の終端の空気の流れの乱れの影響を少なく抑えることができるためである。
【実施例２】
【００３１】
図７は、本発明の他の実施形態を示すものであり、図６の通路は直線的であったが、図７では通過経路は直角に曲がっている場合の、模式的な平面図を示している。
建物Ｒの内部に喫煙エリアＲｃと禁煙エリアＲｇが設けられ、分煙されている。喫煙エリアＲｃと禁煙エリアＲｇは、通路Ｉで接続されている。喫煙エリアＲｃと通路Ｉの間はスライドドアＤｉが設けられて、また、喫煙エリアＲｃと通路Ｉの間はスライドドアＤが設けられている。これらのドアＤｉ，Ｄｏは、通過する者がいない時は、閉じられている。
図中の白抜きの矢印は本システムＢの利用者（本図では不図示）の通過経路であり、この場合、喫煙室である喫煙エリアＲｃから通路Ｉを通って、禁煙エリアＲｇに出ていく場合を示している。
【００３２】
本システムＢは、図７に示すように利用者の経路に沿って、その進行方向左側に第１の空気流生成ユニット１が設けられ、次いでドアＤｏ近くの右側に第２の空気流生成ユニット１が設けられ、そして、最後に第３の空気流生成ユニット１００が設けられている。
各空気流生成ユニット１，１，１００は、通路Ｉの壁Ｗに接して自立しており、正面側の吸気口３ａ，３ｂ，４ａ，４ｂから雰囲気空気Ａｉを吸気し、利用者Ｐが通路Ｉを通過していく際に、帯状空気流Ａｃ，ビーム状空気流Ａｓを利用者Ｐに向けて吹き出す点は実施例１と同様である。第１と第２の空気流生成ユニット１は、それぞれ帯状の空気流Ａｃとビーム状（スポット状）の空気流Ａｓを生成する。第３の空気流生成ユニット１００は、芳香剤が加えられた帯状の空気流Ａｃのみ生成し、その吹出し方向は、図７に示すように５度程度通路Ｉの内側にバイアスをもって吹き出すようにしている。
【００３３】
本システムＢの起動はたとえば、喫煙室Ｒｃに設けた人感センサＰＳで自動的に人の出入りを感知して起動するようにしてもよい。また、ドアＤｉ、Ｄｏもこれと連動するように開閉するようにすることができる。この際に、タイマーなどを用いて、各ユニットを順番に起動・停止することもできる。
【００３４】
本システムＢは、歩行者に立ち止まらせることなく、ビルＲ内の喫煙エリアである喫煙室から禁煙エリアである執務室やロビーなどに持ち込まれる煙草の臭いを抑制することができ、禁煙エリアと喫煙エリアの分離が効果的にできる。また、コンパクトであるため、設置予定個所の状況に応じて必要なレイアウトに柔軟に対応できる。
【産業上の利用可能性】
【００３５】
本発明は、複数の人間が居住したり仕事を行ったりする閉鎖空間における空気清浄の分野に利用が可能である。
【図面の簡単な説明】
【００３６】
【図１】本発明の空気流生成ユニット１の実施形態（実施例１）を示す斜視図である。
【図２】図１に示す空気流生成ユニット１の動作原理図である。（ａ）は上方から見た説明図、（ｂ）は水平方向から見た説明図である。
【図３】図１に示す空気流生成ユニット１の内部を示す説明図である。（ａ）は送風ファン６とチャンバー９の説明図、（ｂ）は送風ファン７とチャンバー９の説明図、（ｃ）は正面パネルを取った状態の説明図である。
【図４】図１に示す空気流生成ユニット１の内部構造を筐体５の側面壁を取り去って側面から見た説明図である。
【図５】本発明の空気流生成ユニット１の変形例（実施例２）を示す斜視図である。
【図６】本発明の空気流生成ユニット１の実施形態を示す説明図である。（ａ）は模式平面図、（ｂ）は壁を取り去った状態の模式側面図である。
【図７】本発明の空気流生成ユニット１の他の実施形態を示す説明図である。
【符号の説明】
【００３７】
１空気流生成ユニット
１００空気流生成ユニット（変形例）
３、４開閉扉
３ａ、３ｂ吸込口
３ａ１、３ｂ１、４ａ１、４ｂ１整流パネル
４ａ、４ｂ吸込口
５筐体
６帯状空気流用送風ファン（シロッコファン）
７ビーム状空気流用送風ファン（シロッコファン）
８消臭剤ユニット、中和剤ユニット
９チャンバー（空気溜め）
１１フィルターユニット
１３ａ、１３ｂ、１４ａ、１４ｂ帯状空気流吹出口
２３、２４ビーム状空気流吹出口
Ａ、Ｂ消臭システム
Ａｃ帯状空気流
Ａｉ吸気
Ａｓビーム状空気流
Ｃ天井
ＦＬ床
Ｉ通路
Ｐ歩行者
Ｒ建物
Ｒｃ喫煙室
Ｒｇ禁煙室
Ｓ煙草の煙が混ざった空気
Ｗ壁
【図１】
2020018537.tif 000003
【図２】
2020018537.tif 000004
【図３】
2020018537.tif 000005
【図４】
2020018537.tif 000006
【図５】
2020018537.tif 000007
【図６】
2020018537.tif 000008
【図７】
2020018537.tif 000009